(57)【要約】【課題】経験のないユーザーであっても無駄のない丁取りを容易に行うことが可能な丁取りプログラム、丁取り装置および丁取り方法の提供。【解決手段】コンピュータ１を、袋の各部寸法を入力する入力部２と、入力部２に入力された袋の各部寸法に基づいて複数種類の用紙に対してそれぞれ自動的に丁取りを行う演算部３と、演算部３により行われた丁取りの結果図を、複数種類の用紙ごとに並べて表示する丁取り表示部５として機能させるための丁取りプログラムである。【選択図】図１
2015120301.tif 000002
【特許請求の範囲】
【請求項１】
コンピュータを、
袋の各部寸法を入力する入力部と、
前記入力部に入力された前記袋の各部寸法に基づいて複数種類の用紙に対してそれぞれ自動的に丁取りを行う演算部と、
前記演算部により行われた丁取りの結果を、前記複数種類の用紙ごとに並べて表示する丁取り表示部と
して機能させるための丁取りプログラム。
【請求項２】
前記丁取り表示部は、さらに、前記演算部により行われた丁取りの結果から丁取りの寸法を表示するものである請求項１記載の丁取りプログラム。
【請求項３】
前記丁取り表示部は、さらに、前記演算部により行われた丁取りの結果から１袋当たりの前記複数種類の用紙それぞれの用紙の捨て面積を表示するものである請求項１または２に記載の丁取りプログラム。
【請求項４】
さらに前記コンピュータを、前記入力部により入力された前記袋の各部寸法に基づいて前記袋の展開図を表示する展開図表示部として機能させるための請求項１から３のいずれかに記載の丁取りプログラム。
【請求項５】
前記展開図表示部は、さらに、前記袋の展開図を、前記入力部により入力された前記袋の各部寸法とともに表示するものである請求項４記載の丁取りプログラム。
【請求項６】
袋の各部寸法を入力する入力部と、
前記入力部に入力された前記袋の各部寸法に基づいて複数種類の用紙に対してそれぞれ自動的に丁取りを行う演算部と、
前記演算部により行われた丁取りの結果を、前記複数種類の用紙ごとに並べて表示する丁取り表示部と
を有する丁取り装置。
【請求項７】
コンピュータが、
入力部に入力された袋の各部寸法に基づいて複数種類の用紙に対してそれぞれ自動的に丁取りを行うこと、
前記丁取りの結果を、前記複数種類の用紙ごとに並べて表示すること
を含む丁取り方法。
【発明の詳細な説明】
【技術分野】
【０００１】
本発明は、封筒や紙袋等の袋の製袋における丁取りプログラム、丁取り装置および丁取り方法に関する。
【背景技術】
【０００２】
従来、例えば特許文献１に記載のように、ユーザが印刷業者等が運営するウェブサイトにアクセスし、印刷物の種類、数量、配送先住所等の情報を入力することで、いつでも簡単に発注を行うことが可能となっている。また、特許文献１には、封筒のような定形型の印刷物であれば、サイト上に提供されているいくつかのデザイン・テンプレートの中から１のテンプレートを選択のうえ、オンラインでテンプレートを任意に編集して印刷原稿を作成し入稿することが可能であることが記載されている。
【０００３】
また、特許文献２には、印刷センターにインターネットに接続された受注管理サーバーを設置し、インターネットユーザーからの印刷見積要求があった場合に、該サーバーが見積メニューページを送信し、ユーザーは前記のメニューに沿って出力仕様や印刷物の元となる元データを入力して受注管理サーバーに送信し、受注管理サーバーは前記の出力仕様および元データを基に印刷物の自動割付計算を行い、印刷に関する見積を自動作成してユーザー端末に送信し、ユーザーが見積に承諾し、印刷要求があった場合は、前記の出力仕様および元データを基に印刷物の自動割付や人手による編集・校正等を実行したのち、印刷を行い、印刷結果を郵送や宅配等の輸送手段でユーザーに届けることが記載されている。
【先行技術文献】
【特許文献】
【０００４】
【特許文献１】特開２０１３−７７２２２号公報
【特許文献２】登録実用新案第３０９２６９５号公報
【発明の概要】
【発明が解決しようとする課題】
【０００５】
ところで、封筒や紙袋等の袋の製袋加工において、１枚の用紙からいくつの袋が製造できるかという丁取りを決める必要がある。丁取りは、製造する袋のサイズと使用する用紙の規格サイズによって多数の組み合わせがあり、主に製袋加工業者の経験則に基づいて行われるが、特に、ユーザーがオリジナルサイズの袋を希望する場合には、袋の指定サイズの制約から無駄なく丁取りすることが困難となる。
【０００６】
そこで、本発明においては、経験のないユーザーであっても無駄のない丁取りを容易に行うことが可能な丁取りプログラム、丁取り装置および丁取り方法を提供することを目的とする。
【課題を解決するための手段】
【０００７】
本発明の丁取りプログラムは、コンピュータを、袋の各部寸法を入力する入力部と、入力部に入力された袋の各部寸法に基づいて複数種類の用紙に対してそれぞれ自動的に丁取りを行う演算部と、演算部により行われた丁取りの結果図を、複数種類の用紙ごとに並べて表示する丁取り表示部として機能させるためのものである。
【０００８】
また、本発明の丁取り装置は、袋の各部寸法を入力する入力部と、入力部に入力された袋の各部寸法に基づいて複数種類の用紙に対してそれぞれ自動的に丁取りを行う演算部と、演算部により行われた丁取りの結果を、複数種類の用紙ごとに並べて表示する丁取り表示部とを有するものである。
【０００９】
また、本発明の丁取り方法は、コンピュータが、入力部に入力された袋の各部寸法に基づいて複数種類の用紙に対してそれぞれ自動的に丁取りを行うこと、丁取りの結果を、複数種類の用紙ごとに並べて表示することを含むことを特徴とする。
【００１０】
これらの発明によれば、袋の各部寸法を入力すると、この入力された袋の各部寸法に基づいて複数種類の用紙に対してそれぞれ自動的に丁取りが行われた結果が、複数種類の用紙ごとに並べて表示されるので、経験のないユーザーであっても丁取りを容易に行うことができ、表示された丁取り結果を見ながらユーザー自身が無駄のない丁取りが可能となるように袋の各部寸法を調整することが可能となる。
【００１１】
ここで、丁取り表示部は、さらに、演算部により行われた丁取りの結果から丁取りの基準寸法とともに表示するものであることが望ましい。これにより、ユーザーは、丁取り表示部に表示された丁取りの基準寸法を見ながら、無駄のない丁取りが可能となるように袋の各部寸法を容易に調整することが可能となる。
【００１２】
丁取り表示部は、さらに、演算部により行われた丁取りの結果から１袋当たりの複数種類の用紙それぞれの用紙の捨て面積を表示するものであることが望ましい。これにより、ユーザーは、丁取り表示部に表示された１袋当たりの複数種類の用紙それぞれの用紙の捨て面積を見ながら、無駄のない丁取りが可能となるように袋の各部寸法を容易に調整することが可能となる。
【００１３】
また、本発明の丁取りプログラムは、さらにコンピュータを、入力部により入力された袋の各部寸法に基づいて袋の展開図を表示する展開図表示部として機能させるためのものであることが望ましい。これにより、入力された袋の各部寸法に基づいて袋の展開図が表示されるので、この表示された袋の展開図を見ながらユーザー自身が無駄のない丁取りが可能となるように袋の各部寸法を調整することが可能となる。
【００１４】
展開図表示部は、さらに、袋の展開図を、入力部により入力された袋の各部寸法とともに表示するものであることが望ましい。これにより、ユーザーは、展開図表示部に表示された袋の各部寸法を見ながら、無駄のない丁取りが可能となるように袋の各部寸法を容易に調整することが可能となる。
【発明の効果】
【００１５】
入力部に入力された袋の各部寸法に基づいて複数種類の用紙に対してそれぞれ自動的に丁取りを行い、この丁取りの結果を、複数種類の用紙ごとに並べて表示する構成により、経験のないユーザーであっても無駄のない丁取りを容易に行うことが可能となる。
【図面の簡単な説明】
【００１６】
【図１】本発明の実施の形態における丁取り装置のブロック図である。
【図２】丁取り装置に表示される丁取り画面の例を示す図である。
【図３】丁取り表示部の一部拡大図である。
【発明を実施するための形態】
【００１７】
図１は本発明の実施の形態における丁取り装置のブロック図、図２は丁取り装置に表示される丁取り画面の例を示す図である。
【００１８】
図１において、本発明の実施の形態における丁取りプログラムは、コンピュータ１を、袋の各部寸法を入力する入力部２と、入力部２に入力された袋の各部寸法に基づいて各種演算を行う演算部３と、袋の展開図を表示する展開図表示部４と、丁取りの結果を表示する丁取り表示部５とを有する丁取り装置として機能させるためのものである。なお、以下では、袋として封筒を例に説明するが、紙袋等の他の袋についても同様に構成することができる。
【００１９】
丁取りプログラムは、インターネットに接続されたウェブサーバによりコンピュータ１へ提供される。ユーザーは、コンピュータ１のウェブブラウザにより、丁取りプログラムを提供するウェブサーバへ接続すると、ウェブサーバから丁取りプログラムがコンピュータ１へ提供され、ウェブブラウザ上で実行されることにより、コンピュータ１は上記丁取り装置として機能する。あるいは、丁取りプログラムは、インターネットに接続されたサーバ上で実行されるものとし、コンピュータ１が、このサーバへ接続することにより、上記丁取り装置として機能させることも可能である。
【００２０】
入力部２は、図２に示すように、封筒の各部寸法を入力する入力欄を有する。本実施形態における入力項目は、封筒の規格（幅、天地、フタ、縦糊代および底の各寸法）、形状（縦型、かます、チケット、角底またはガゼットの選択）、貼り方（サイド、逆サイドまたはセンターの選択）、窓（横、縦および端からの各寸法）、印刷（クワエ（印刷機が紙を引っ張るための余白）およびドブ（裁ち落とす余白の部分）の各寸法）である。また、本実施形態における入力部２では、既製品の一覧２ａから選択することで、選択した既製品の各部寸法が自動的に各入力欄へ入力されるようになっている。
【００２１】
展開図表示部４には、図２に示すように、入力部２により入力された封筒の各部寸法に基づいて封筒の展開図が表示される。このとき、必要な演算は演算部３により行われる。展開図表示部４に表示される展開図は、入力部２により入力された封筒の各部寸法に応じてリアルタイムにその形状が変更されるようになっている。また、展開図には、入力部２により入力された封筒の各部寸法も表示される。
【００２２】
丁取り表示部５には、図２に示すように、演算部３により行われた丁取りの結果が、複数種類の用紙ごとに並べて表示される。図３は丁取り表示部５の一部拡大図である。図３に示すように、丁取り表示部５には、Ｈ判、四六判、菊判やＡ判等の複数の用紙サイズについて、それぞれ全判および半裁の用紙に、入力部２に入力された封筒の各部寸法に基づいて丁取りが行われた結果としての丁取り図が表示される。また、丁取り図には、丁取りの結果からそれぞれの丁取りの寸法（用紙寸法、１丁および全丁の寸法や余白の寸法等）、丁数や１袋当たりの複数種類の用紙それぞれの捨て面積等も表示される。
【００２３】
演算部５は、入力部２に入力された封筒の各部寸法に基づいて複数種類の用紙に対してそれぞれ自動的に丁取りを行う。丁取りは、入力された封筒の各部寸法に基づいて封筒の展開図を、各用紙に対して縦向きおよび横向きにそれぞれ配置することにより行う。また、演算部５は、入力部２により寸法が入力されると、リアルタイムに演算を行い、丁取りを更新する。
【００２４】
上記構成の丁取り装置において、ユーザーは、コンピュータ１のウェブブラウザにより丁取りプログラムを提供するウェブサーバへ接続すると、ウェブサーバから丁取りプログラムがコンピュータ１へ提供され、ウェブブラウザ上で実行される。そして、ユーザーが、図２に示す丁取り画面の入力部２により封筒の各部寸法を入力すると、この入力部２に入力された封筒の各部寸法に基づいて展開図表示部４に封筒の展開図が表示されるとともに、丁取り表示部５に演算部３により行われた丁取りの結果が、複数種類の用紙ごとに並べて表示される。
【００２５】
ここで、ユーザーは、丁取り表示部５に表示された丁取り結果を見ながら、最も無駄のない丁取りを選択することが可能となる。また、この丁取り結果から、封筒の各部寸法を調整することで、１袋当たりの捨て面積を減らすことも容易に行える。すなわち、経験のないユーザーであっても無駄のない丁取りを容易に行うことが可能である。
【００２６】
また、本実施形態における丁取り装置では、入力部２により各部寸法が入力された封筒の展開図を、テンプレートとしてダウンロードすることが可能となっている。テンプレートのダウンロードは、図２に示すテンプレートダウンロード部６において、ダウンロードするテンプレートの種類（フォーマット）を選択し、ダウンロードボタンをクリックすることにより行う。演算部３は、封筒の展開図を選択されたテンプレートの種類に変換して、コンピュータ１へ提供する。
【産業上の利用可能性】
【００２７】
本発明の丁取りプログラム、丁取り装置および丁取り方法は、封筒や紙袋等の袋の製袋に有用である。
【符号の説明】
【００２８】
１  コンピュータ
２  入力部
３  演算部
４  展開図表示部
５  丁取り表示部
【図１】
2015120301.tif 000003
【図２】
2015120301.tif 000004
【図３】
2015120301.tif 000005